(57)【要約】【課題】本発明は、停電時における稼働時間が向上した電気錠システムを提供することを目的とする。【解決手段】電気錠システムは、認証端末１とコントローラ２を備える。認証端末１は、認証センサ４、テンキー５及び第１のバッテリー６を備える。認証端末１は、認証センサ４により読み取られた利用者の識別情報に基づいて第１の認証を行い、テンキー５により入力された情報に基づいて第２の認証を行う。コントローラ２は、電気錠制御部７と第２のバッテリー１０を備える。電気錠制御部７は、第１の認証が行われた場合に電気錠３を解錠する。停電発生時に第１のバッテリー６からテンキー５に電力の供給が開始される。停電中に第２の認証が行われた場合、第２のバッテリー１０から電気錠制御部７に電力の供給が開始される。認証センサ４は、停電中に前記第２の認証が行われた場合に利用者の識別情報を読み取る。【選択図】図２
2014214580.tif 000002
【特許請求の範囲】
【請求項１】
利用者の識別情報を読み取る読取手段と、
情報を入力するための入力手段と、
前記読取手段により読み取られた利用者の識別情報に基づいて第１の認証を行う第１の認証手段と、
前記入力手段を用いて入力された情報に基づいて第２の認証を行う第２の認証手段と、
停電中に前記読取手段、前記入力手段、前記第１の認証手段及び前記第２の認証手段に電力を供給するための第１のバッテリーと、
前記第１の認証が行われた場合に電気錠を解錠する電気錠制御手段と、
停電中に前記電気錠制御手段に電力を供給するための第２のバッテリーと、
を備え、
停電発生時に前記第１のバッテリーから前記入力手段への電力の供給が開始され、
停電中に前記第２の認証が行われた場合には、前記第２のバッテリーから前記電気錠制御手段への電力の供給が開始され、
前記読取手段は、停電中に前記第２の認証が行われた場合に利用者の識別情報を読み取る電気錠システム。
【請求項２】
前記読取手段は、停電発生時に利用者の識別情報の読み取り動作を停止する請求項１に記載の電気錠システム。
【請求項３】
前記電気錠制御手段は、前記第１の認証が行われない場合に電気錠を解錠しない請求項１又は２に記載の電気錠システム。
【請求項４】
前記電気錠制御手段は、停電発生時に前記第２のバッテリーから電力の供給が開始されず、電気錠を解錠できない状態となる請求項１乃至３のいずれか１項に記載の電気錠システム。
【請求項５】
前記入力手段は、停電発生時に前記第１のバッテリーから電力の供給が開始されることで入力待ち状態となり、
前記第２の認証手段は、停電発生時に前記第１のバッテリーから電力の供給が開始されることで認証待ち状態となる請求項１乃至４のいずれか１項に記載の電気錠システム。
【請求項６】
利用者の認証を行う認証端末と、
電気錠を制御するためのコントローラと、
を備え、
前記認証端末は、前記読取手段と、前記入力手段と、前記第１の認証手段と、前記第２の認証手段と、前記第１のバッテリーと、を備え、
前記コントローラは、前記電気錠制御手段と、前記第２のバッテリーと、を備えた請求項１乃至５のいずれか１項に記載の電気錠システム。
【発明の詳細な説明】
【技術分野】
【０００１】
本発明は、電気錠システムに関するものである。
【背景技術】
【０００２】
従来、図１に示すような電気錠システムが知られている。この電気錠システムは、利用者の認証を行うための認証端末１を備えている。また、電気錠システムは、電気錠を制御するコントローラ２を備えている。コントローラ２は、認証端末１において認証が行われた場合に、通電時解錠型の電気錠３を解錠する。通電時解錠型の電気錠とは、通電されているときに解錠状態となり、通電されていないときは施錠される電気錠である。また、電気錠システムは、非常用電源としてＵＰＳ（Ｕｎｉｎｔｅｒｒｕｐｔｉｂｌｅ  Ｐｏｗｅｒ  Ｓｕｐｐｌｙ）を備えている。停電時には、ＵＰＳから認証端末１及びコントローラ２に電力が供給されることで電気錠システムが稼働する。なお、このような電気錠システムの一例として、下記特許文献１に記載されたものがある。
【先行技術文献】
【特許文献】
【０００３】
【特許文献１】特開平１０−１４０８８８号公報
【発明の概要】
【発明が解決しようとする課題】
【０００４】
従来の電気錠システムは、非常用電源の容量が限られているため、停電時に長時間稼働することができないという課題があった。
【０００５】
本発明は、上記のような課題を解決するためになされたものである。その目的は、停電時における稼働時間が向上した電気錠システムを提供することである。
【課題を解決するための手段】
【０００６】
本発明に係る電気錠システムは、利用者の識別情報を読み取る読取手段と、情報を入力するための入力手段と、読取手段により読み取られた利用者の識別情報に基づいて第１の認証を行う第１の認証手段と、入力手段を用いて入力された情報に基づいて第２の認証を行う第２の認証手段と、停電中に読取手段、入力手段、第１の認証手段及び第２の認証手段に電力を供給するための第１のバッテリーと、第１の認証が行われた場合に電気錠を解錠する電気錠制御手段と、停電中に電気錠制御手段に電力を供給するための第２のバッテリーと、を備え、停電発生時に第１のバッテリーから入力手段への電力の供給が開始され、停電中に第２の認証が行われた場合には、第２のバッテリーから電気錠制御手段への電力の供給が開始され、読取手段は、停電中に前記第２の認証が行われた場合に利用者の識別情報を読み取るものである。
【発明の効果】
【０００７】
本発明によれば、電気錠システムにおいて、停電時における稼働時間を向上することができる。
【図面の簡単な説明】
【０００８】
【図１】従来の電気錠システムの構成図である。
【図２】本発明の実施の形態１における電気錠システムの構成図である。
【図３】本発明の実施の形態１における電気錠システムの動作を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図２は、本実施の形態における電気錠システムの構成図である。以下、図２を参照して、電気錠システムの構成を説明する。
【００１１】
電気錠システムは、認証端末１を備えている。認証端末１としては、例えば、カードリーダー又は生体認証装置等が用いられる。また、電気錠システムは、電気錠３を制御するためのコントローラ２を備えている。コントローラ２は、認証端末１から信号を受信する。コントローラ２には、通常時は常用電源から電力が供給される。認証端末１には、通常時はコントローラ２から電力が供給される。
【００１２】
認証端末１には、認証センサ４が設けられている。認証センサ４は、利用者の識別情報を読み取る。利用者の識別情報とは、例えば、利用者のＩＤカードに記憶された情報、指紋、声紋又は網膜パターン等である。認証センサ４としては、例えば、カード読み取りアンテナ又は生体認証用センサ等が用いられる。認証端末１は、認証センサ４により読み取られた利用者の識別情報に基づいて第１の認証を行う。
【００１３】
また、認証端末１には、入力手段としてテンキー５が設けられている。テンキー５は、利用者が情報を入力するために設けられている。利用者がテンキー５を用いて入力する情報は、例えば、暗証番号又はパスワード等である。認証端末１は、テンキー５を用いて入力された情報に基づいて第２の認証を行う。
【００１４】
また、認証端末１は、第１のバッテリー６を備えている。第１のバッテリー６は、常用電源の停電時に、認証端末１に電力を供給するための非常用電源である。第１のバッテリー６は、通常時は、コントローラ２から供給される電力で常時充電される。
【００１５】
このように構成された認証端末１は、第１の認証及び第２の認証を行っていないときは、常時認証待ち状態となっている。認証待ち状態において、認証センサ４は、利用者の識別情報の読み取り動作を行っている。読み取り動作とは、例えば、電波発信又は光照射等である。また、認証待ち状態において、テンキー５は入力待ち状態となっている。入力待ち状態とは、利用者による情報の入力が可能な状態である。認証端末１は、認証待ち状態において、待機電力を消費する。
【００１６】
コントローラ２は、電気錠制御部７を備えている。電気錠制御部７は、電気錠３の解錠及び施錠を行う。電気錠制御部７は、認証端末１において第１の認証が行われた場合、電気錠３を解錠する。なお、電気錠３は、通電時解錠型の電気錠である。このため、電気錠３は、通電されているときに解錠状態となり、通電されていないときは施錠される。
【００１７】
また、コントローラ２は、電力供給部８を備えている。電力供給部８は、認証端末１及び電気錠制御部７に電力を供給する。
【００１８】
また、コントローラ２は、電源部９を備えている。電源部９は、常用電源から電力の供給を受ける。また、電源部９は、電力供給部８及び後述する第２のバッテリー１０に電力を供給する。
【００１９】
また、コントローラ２は、第２のバッテリー１０を備えている。第２のバッテリー１０は、常用電源の停電時に、コントローラ２に電力を供給するための非常用電源である。第２のバッテリー１０は、通常時は、電源部９から供給される電力で常時充電される。
【００２０】
このように構成されたコントローラ２は、電気錠３の解錠又は施錠を行うとき以外にも、待機電力を消費する。
【００２１】
図３は、本実施の形態における電気錠システムの動作を示すフローチャートである。以下、図３を参照して、電気錠システムの動作を説明する。
【００２２】
通常時、電気錠システムは、常用電源から供給される電力により稼働する。このとき、第１のバッテリー６及び第２のバッテリー１０は、常時充電される（ステップＳ１０１）。第１のバッテリー６は、電源部９から供給される電力で常時充電される。また、第２のバッテリー１０は、コントローラ２の電力供給部８から供給される電力で常時充電される。
【００２３】
また、電気錠システムは、常用電源の停電を検知したか否かの判定を行う（ステップＳ１０２）。常用電源の停電が検知されなかった場合、電気錠システムは、ステップＳ１０１から動作を繰り返す。
【００２４】
ステップＳ１０２で、常用電源の停電が検知された場合、認証端末１及びコントローラ２は、それぞれ待機状態となる（ステップＳ１０３）。
【００２５】
ステップＳ１０３において、常用電源から電源部９への電力の供給が断たれる。このとき、第２のバッテリー１０から電源部９への電力の供給は開始されない。このため、電源部９から電力供給部８への電力の供給は停止される。また、電力供給部８から認証端末１及び電気錠制御部７への電力の供給は停止される。これにより、電気錠制御部７は、電気錠３を解錠できなくなる。その結果、電気錠３は、施錠された状態に維持される。
【００２６】
また、ステップＳ１０３において、第１のバッテリー６から認証端末１への電力の供給が開始される。これにより、認証端末１は待機状態で稼働する。このとき、認証センサ４は、利用者の識別情報の読み取り動作を停止する。一方、テンキー５は、入力待ち状態を維持する。このため、認証端末１は、第１の認証を行うことはできないが、第２の認証を行うことはできる状態となる。
【００２７】
ステップＳ１０３に続いて、テンキー５を用いて入力された情報に基づいて第２の認証が行われたか否かが判定される（ステップＳ１０４）。第２の認証が行われていない場合、電気錠システムは、ステップＳ１０２から動作を繰り返す。
【００２８】
ステップＳ１０４で、停電中に第２の認証が行われた場合、認証端末１及びコントローラ２は、通常時と同様の動作を行える状態となる（ステップＳ１０５）。
【００２９】
ステップＳ１０５において、第２のバッテリー１０から電源部９への電力の供給が開始される。これにより、電源部９から電力供給部８への電力の供給が開始される。さらに、電力供給部８から電気錠制御部７への電力の供給が開始される。このため、電気錠制御部７は、電気錠３を制御できる状態となる。
【００３０】
また、ステップＳ１０５において、認証センサ４は、利用者の識別情報の読み取り動作を開始する。このため、認証端末１は、第１の認証を行うことができる状態となる。
【００３１】
ステップＳ１０５の状態で、認証センサ４が利用者の識別情報を読み取ると、通常時と同様に認証端末１が第１の認証を行う（ステップＳ１０６）。このとき、電気錠制御部７は、電気錠３を解錠する。その後、電気錠システムは、ステップＳ１０２から動作を繰り返す。
【００３２】
上述したとおり、本実施の形態では、認証端末１が、非常用電源として第１のバッテリー６を備えている。また、コントローラ２が、非常用電源として第２のバッテリー１０を備えている。このため、１つの非常用電源のみを備える場合と比較して、停電時における認証端末１及びコントローラ２の稼働時間を延ばすことができる。その結果、停電時における電気錠システムの稼働時間を向上することができる。
【００３３】
また、上述したとおり、本実施の形態では、停電発生時に、認証センサ４は、利用者の識別情報の読み取り動作を停止する。このため、認証端末１によって消費される待機電力が抑制される。これにより、第１のバッテリー６の電力を節約し、認証端末１の稼働時間を延ばすことができる。その結果、停電時における電気錠システムの稼働時間を向上することができる。
【００３４】
また、上述したとおり、本実施の形態では、停電中にテンキー５を用いて入力された情報に基づいて第２の認証が行われた場合に、認証センサ４が利用者の識別情報の読み取り動作を開始する。つまり、停電中に認証センサ４が識別情報を読み取るためには、第２の認証が行われることが必要である。このため、停電中に誤って認証センサ４が識別情報を読み取り、第１のバッテリー６の電力が無駄に消費されてしまうことを防止できる。その結果、停電時における電気錠システムの稼働時間を向上することができる。
【００３５】
また、上述したとおり、本実施の形態では、停電発生時に、電源部９、電力供給部８及び電気錠制御部７への電力の供給が停止される。このため、コントローラ２によって消費される待機電力が抑制される。これにより、第２のバッテリー１０の電力を節約し、コントローラ２の稼働時間を延ばすことができる。その結果、停電時における電気錠システムの稼働時間を向上することができる。
【００３６】
また、上述したとおり、本実施の形態では、停電中にテンキー５を用いて入力された情報に基づいて第２の認証が行われた場合に、第２のバッテリー１０から電源部９への電力の供給が開始される。つまり、停電中にコントローラ２が稼働するためには、第２の認証が行われることが必要である。このため、停電中に誤ってコントローラ２が稼働し、第２のバッテリー１０の電力が無駄に消費されてしまうことを防止できる。その結果、停電時における電気錠システムの稼働時間を向上することができる。
【００３７】
本実施の形態では、認証端末１とコントローラ２とを別個の装置として説明した。しかし、認証端末１とコントローラ２とを、一体の装置として形成することとしてもよい。また、認証端末１の機能とコントローラ２の機能とが、同一の基板上で実現されることとしてもよい。
【００３８】
また、本実施の形態では、認証端末１に、認証センサ４及びテンキー５が設けられている。しかし、認証センサ４とテンキー５とを、別個の装置として設けることとしてもよい。
【００３９】
また、本実施の形態では、入力手段としてテンキー５が設けられている。しかし、入力手段は、利用者が情報を入力するために使用できるものであれば、テンキーに限られるものではない。
【００４０】
また、本実施の形態では、認証端末１が、第１の認証及び第２の認証を行っている。しかし、認証センサ４が読み取った識別情報に基づいて、コントローラ２が第１の認証を行うこととしてもよい。また、テンキー５を用いて入力された情報に基づいて、コントローラ２が第２の認証を行うこととしてもよい。
【符号の説明】
【００４１】
１  認証端末、２  コントローラ、３  電気錠、４  認証センサ、５  テンキー、６  第１のバッテリー、７  電気錠制御部、８  電力供給部、９  電源部、１０  第２のバッテリー
【図１】
2014214580.tif 000003
【図２】
2014214580.tif 000004
【図３】
2014214580.tif 000005